(57)【特許請求の範囲】
【請求項１】
回動軸を構成する散水機（１４）の軸部（４１ａ）から側方に延出するノズル（１６）を有し、該軸部（４１ａ）を中心に回動しながらノズル（１６）より散水する構成の散水機（１４）において、散水機（１４）を付設する給水管（１０）の上外周部に平面を構成し、この平面に給水口（１０ａ）を開口し、該給水口（１０ａ）に偏心ソケット（１５）を嵌装し、該偏心ソケット（１５）は中途部から、給水管（１０）の方向を平面視で０度方向とすると、該給水管（１０）に対して９０度の方向へ傾斜しており、該偏心ソケット（１５）の垂直方向からの傾斜角度を対地角度（θ）とし、該傾斜した偏心ソケット（１５）に散水機（１４）の基部パイプ（４１ｄ）を螺入し、該基部パイプ（４１ｄ）に本体（４１）の下部の軸部（４１ａ）を回転自在に嵌合し、該散水機（１４）を、対地角度（θ）だけ傾斜した基部パイプ（４１ｄ）を中心に給水管（１０）の方向へ、平面視で略１８０度往復回動可能とし、該散水機（１４）が略１８０度往復回動する間に、前記ノズル（１６）の水平方向を０度とする対地ノズル角度（γ）を変化させ、該対地ノズル角度（γ）は、ノズル（１６）が給水管（１０）に対して平面視９０度方向で最小となり、ノズル（１６）が平面視０度方向又は１８０度方向では等しくなり、かつ最大となることを特徴とする散水機。
【発明の詳細な説明】
【０００１】
【発明の属する技術分野】
本発明は、防除や散水を行うための散水機の構造に関する。
【０００２】
【従来の技術】
従来、果樹園において、防除や散水を行ったり、ゴルフ場や畑等の圃場で円形或いは扇形状に水平面方向に散水したりする散水機は公知である。このとき、散水機のノズルから吐出される液体の散水域は、該散水機の水平往復回動によって円状を呈するものである。
【０００３】
【発明が解決しようとする課題】
しかし、線路の融雪のための散水や矩形の圃場等、幅狭で長い範囲に散水したい場合には、散水域が円状であると散水機を多く設置しなければならず、無駄な散水面積が多くコストが嵩むだけでなく効率がよいとはいえない。
また、散水域を長方形状としたい場合、通常の散水機で仮に前面（９０度方向）の散水距離を短くするためにブレーカやネット等で飛散速度を落とす方法が採用されることがあるが、水滴が小さくなって霧状となるので、特に融雪作業に使用する際には、融雪効果が小さくなることとなり、却ってマイナス気温時には霧状の水が凍って雪の様になり融雪効果が出ない場合が懸念される。そこで、本発明では、散水域が略長方形状となる散水機の構造を提案する。
【０００４】
【課題を解決するための手段】
本発明は、以上のような課題を解決するために、次のような手段を用いる。
【０００５】
回動軸を構成する散水機（１４）の軸部（４１ａ）から側方に延出するノズル（１６）を有し、該軸部（４１ａ）を中心に回動しながらノズル（１６）より散水する構成の散水機（１４）において、散水機（１４）を付設する給水管（１０）の上外周部に平面を構成し、この平面に給水口（１０ａ）を開口し、該給水口（１０ａ）に偏心ソケット（１５）を嵌装し、該偏心ソケット（１５）は中途部から、給水管（１０）の方向を平面視で０度方向とすると、該給水管（１０）に対して９０度の方向へ傾斜しており、該偏心ソケット（１５）の垂直方向からの傾斜角度を対地角度（θ）とし、該傾斜した偏心ソケット（１５）に散水機（１４）の基部パイプ（４１ｄ）を螺入し、該基部パイプ（４１ｄ）に本体（４１）の下部の軸部（４１ａ）を回転自在に嵌合し、該散水機（１４）を、対地角度（θ）だけ傾斜した基部パイプ（４１ｄ）を中心に給水管（１０）の方向へ、平面視で略１８０度往復回動可能とし、該散水機（１４）が略１８０度往復回動する間に、前記ノズル（１６）の水平方向を０度とする対地ノズル角度（γ）を変化させ、該対地ノズル角度（γ）は、ノズル（１６）が給水管（１０）に対して平面視９０度方向で最小となり、ノズル（１６）が平面視０度方向又は１８０度方向では等しくなり、かつ最大となるものである。
【０００６】
【発明の実施の形態】
本発明の一実施例を、添付の図面を基に説明する。
【０００７】
図１は本発明に係る散水機の設置状態を示す正面図、図２は同じく平面図、図３は本発明に係る散水機の側面一部断面図、図４は同じく平面図、図５は散水機の揺動切換機構を示す図である。図６は散水機による散水状態を示す図、図７は散水機による散水域を示す図である。
【０００８】
まず、本発明に係る散水機１４の全体構成から説明する。前記散水機１４は、主に線路の融雪等、幅狭で長い範囲（以下散水区画とする）の散水作業に利用するために適した仕様としており、動力噴霧機またはポンプ等の給水圧送手段の吐出口をホース等を介して給水管１０に送水し、該給水管１０の給水口１０ａと、散水機１４の入水口である基部パイプ４１ｄとを連通して、該散水機１４に薬液または水を吸入して該散水機１４の、ノズル１６より吐出する構成としている。図１及び図２に示す如く、この散水機１４を、給水管１０上に設置ピッチＰを離間して複数配列し、これら複数の散水機１４・１４を矩形散水面の一側長辺の中央に配置するによって、長尺方向に給水管１０を配置して平面視略長方形状に散水することを可能としている。但し、散水機１４への給水形態は本実施例に限定されず、例えば、散水機１４の入水口である基部パイプ４１ｄに直接ホース等を接続することもできる。
【０００９】
また、本実施例に係る散水機１４では、図２に示す如く、散水機のノズル１６は、該ノズル１６が散水する（給水管１０の方向）長尺方向と略平行にある位置を、平面視０度方向とし、ここから再びノズル１６が給水管１０の長尺方向と略平行な位置、すなわち、平面視１８０度方向まで矢印Ｎの方向に散水しながら回転するよう構成して、該散水機１４から散水された液体の飛散距離、すなわち、散水距離は、平面視０度方向及び１８０度方向で最長、平面視９０度方向で最短となるようにしている。この、平面視において散水距離が最短となる方向（本実施例では平面視９０度方向）を、Ｘ軸方向とする。
【００１０】
次に、前記散水機１４の構成を説明する。図１及び図３に示す如く、給水管１０の外周部には、散水機１４を取り付けるための平面を構成し、この平面の略中央に給水口１０ａを開口し、該給水口１０ａに偏心ソケット１５を外嵌し、該偏心ソケット１５に散水機１４の基部パイプ４１ｄを螺入している。但し、ソケット１５自体を給水口１０ａにねじ込む構成とすることもできる。前記偏心ソケット１５はその内部において中途部から角度θだけ傾いて、従って、散水機１４の基部パイプ４１ｄを角度θだけ傾いた状態に接続することを可能としている。但し、軸心が側面視において角度θだけ傾いた「く」字状のソケットとすることもできる。
【００１１】
上述の如く偏心ソケット１５に接続された基部パイプ４１ｄは、Ｘ軸方向（散水区画方向）に向かって、本体４１の回動軸Ｑとなる軸芯が垂直（鉛直）方向Ｓより角度θだけ傾いており、すなわち、回動軸Ｑは対地角度θだけＸ軸方向に傾いていおり、該散水機１４は前記回動軸Ｑを中心に回動可能に配置されている。但し、回動軸Ｑの対地角度θは、回動軸Ｑが垂直（鉛直）方向にある時を０度とする。なお、本実施例では、図１に示す正面図では、回動軸Ｑは紙面上側に向かって傾いており、図２に示すようにＸ軸方向は平面視９０度方向としている。
【００１２】
但し、本実施例における散水機１４では、平面視９０度方向の散水距離を短くし、平面視０度方向及び１８０度方向の散水距離を長くするよう構成しているため、Ｘ軸方向を平面視９０度方向とし、散水機１４の回動軸である回動軸Ｑは、９０度方向に対地角度θだけ傾けた状態としているが、所望の散水域に応じて回動軸Ｑを傾けるＸ軸方向及び対地角度θを変更することが好ましい。すなわち、散水機１４による散水状態は、本実施例に限定されるものではなく、ノズル１６の回動範囲を変更したり、また、所望の散水域に応じてＸ軸方向や対地角度θを変更したりすることが好ましく、これにより様々な形状の散水域（散水区画）に適応させることができる。
【００１３】
そして、図３、図４に示す如く、前記基部パイプ４１ｄ上に本体４１下部の軸部４１ａを回転自在に嵌合し、該軸部４１ａ上にバネ４２を介装して、このバネ圧によって本体４１を回転しないように一定圧力で付勢している。前記本体４１の中途部には所定の吐出角により側方へ吐出可能なノズル１６を配設している。
【００１４】
また、前記本体４１上部略中央に枢支軸４１ｃを設け、該枢支軸４１ｃで反動アーム４３を回動自在に枢支している。そして、該枢支軸４１ｃの反動アーム４３より上方では、該枢支軸４１ｃにバネ４７が外嵌され、該バネ４７及び枢支軸４１ｃの上部をバネケース４０で覆っている。前記反動アーム４３は枢支軸４１ｃに外嵌されたバネ４７によって、ノズル１６側へ回動するように付勢され、ノズル１６上部に固設されたストッパ１６ｂに反動アーム４３のガイド体取付部４３ａが当接してその回動が規制されている。
【００１５】
前記反動アーム４３の一側には、重り部４３ｂが形成され、該重り部４３ｂの下部には、後述する規制体４４と当接可能な当接部４３ｃを形成しており、枢支軸４１ｃに枢支された枢支部４３ｄを介して他側は、ノズル１６の出口まで延設されてガイド体取付部４３ａを形成し、ここに、ガイド体２７が固定されている。ガイド体２７は、前記ノズル１６の吐出口１６ａから吐出される液体の一部を取り込んで、液体が矢印Ｇ（図４）に沿って移動するよう導いている。
【００１６】
前記規制体４４は本体４１側部より突出した枢支軸４８に枢支され、規制体４４の一端（図４紙面左側）の規制板４４ａは本体側部に突設した回動規制ピン５０ａ・５０ｂの間に挿入し、枢支軸４８を介して他端は、前記反動アーム４３に形成された当接部４３ｃに当接する長さまで延設されている。
【００１７】
また、前記枢支軸４８にはレバーアーム４９も枢支されている。該レバーアーム４９の一側では、該レバーアーム４９と一体的に規制杆４９ａが形成され、該規制杆４９ａは前記回動規制ピン５０ａ・５０ｂの間に挿入している。そして、レバーアーム４９の、枢支軸４８を介して規制杆４９ａと同側に、切換レバー４５が回動可能に取り付けられている。一方、レバーアーム４９の枢支軸４８を介して規制杆４９ａと他側には、ロッド枢支杆４９ｂが形成され、ここにロッド５１が枢支されている。該ロッド５１は前記規制体４４の一側端部に形成された係止部４４ｂに摺動自在に挿入され、係止部４４ｂとロッド枢支杆４９ｂの間で該ロッド５１上にバネ５２を外嵌している。
【００１８】
また、散水機１４の本体４１の軸部４１ａ上に、散水機１４の回動軸Ｑを中心とした散水機１４の回動角度を制御するストッパ５３ａ・５３ｂが外嵌されている。前記レバーアーム４９に枢支された切換レバー４５が、前記ストッパ５３ａ・５３ｂ間に配設されており、該切換レバー４５がストッパ５３ａ・５３ｂに当接してその回動を制御されることで散水機１４の回動方向の切換が行われる。従って、該ストッパ５３ａ・５３ｂによって散水機１４の回動角度を制御するのである。
【００１９】
このような構成において、図４及び図５に示す如く、切換レバー４５がＪ位置（図５）のときは、ノズル１６より吐出した液の一部がガイド体２７に当接し、その水圧によって反動アーム４３はバネ４７に抗して矢印Ｍ方向（図４）へ回動する。この位置ではノズル１６からの吐水がガイド体２７に当接しないため、バネ４７の力によってＮ方向（図４）へ回動して元の位置へ戻る。このとき、反動アーム４３がストッパ１６ｂに当接して、その慣性力により本体４１はＮ方向へ回動する。そして、ガイド体２７がノズル１６からの吐水に当接する位置に戻ったので、再び吐水圧によって反動アーム４３がＭ方向へ回動する。上記動作が繰り返されて本体４１は徐々に回転する。
【００２０】
上述の如く散水機１４の本体４１が回動軸Ｑを中心として回転すると、前記切換レバー４５も本体４１と一体的に回転する。そして、回転するうちに切換レバー４５が前記ストッパ５３ｂに当接すると、本体４１が回転する力によって該切換レバー４５を設けたレバーアーム４９が、枢支軸４８を中心に規制杆４９ａが回動規制ピン５０ａに当接するまで回転し、従って、切換レバー４５はＫ位置（図５）で停止する。
【００２１】
このとき、レバーアーム４９が回動して、該レバーアーム４９のロッド枢支杆４９ｂに枢支されているロッド５１が死点越えとなり、該ロッド５１に外嵌したバネ５２の付勢力によって規制体４４が回転し、従って、規制板４４ａは回動規制ピン５０ｂに当接して停止するまで下方へ回動する。すると、反動アーム４３の当接部４３ｃは規制体４４に当接するようになり、反動アーム４３はＭ方向へ回動不可能となり、そこで、吐水によるＭ方向への回動力によって本体４１がＭ方向へ回動し、それまで反動アーム４３とストッパ１６ｂの当接によりＮ方向へ回動してきた散水機１４を逆方向へ回動して元の位置まで戻すことができる。
【００２２】
そして、本体４１のＭ方向への回転によって、切換レバー４５がストッパ５３ａに当接してＫ位置からＪ位置へシフトすると、規制板４４ａは回動規制ピン５０ａに当接するまで上方へ回動し、散水機１４は再びＮ方向へ回動しながら散水するようになる。このようにして散水機１４の往復回動が繰り返されるのである。
【００２３】
ここで、前記散水機１４での散水状態について説明する。
【００２４】
前述の如く、本発明に係る散水機１４は、Ｘ軸方向（散水区画方向）へ対地角度θだけ傾いている回動軸Ｑを中心として揺動（略水平方向往復回動）する。従って、散水機１４が回転するうちにノズル１６の対地角度、すなわち、対地ノズル角度γ（図１）が変化し、従って、ノズルより吐出する液体の吐出角度を散水機の回動角度により変化させることができる。但し、対地ノズル角度γは、ノズル角度が地面と平行である時（水平方向）を０度とする。対地ノズル角度γは、散水機１４のノズル１６がＸ軸方向（本実施例においては平面視９０度方向）で最小となる。また、特に本実施例では、ノズル１６が平面視０度方向又は１８０度方向にあるときに対地ノズル角度γが最大となる。
【００２５】
図６では、一例として、Ｘ軸方向を平面視９０度方向とし、散水機１４の回動軸Ｑの対地角度θをマイナス９度とし、散水機１４の平面視０度方向での対地ノズル角度γを１６度としたときの液体の飛散状態を示している。このとき、平面視９０度方向での対地ノズル角度γは７度であって散水距離は最短となり、６０度方向での対地ノズル角度γは８度、４５度方向での対地ノズル角度γは９度、３０度方向で１１度、０度方向で対地ノズル角度γは１６度と、順次散水距離が長くなる散水域を得ることができる。なお、散水域はＸ軸方向に対して対称であり、すなわち、０度方向と１８０度方向の対地ノズル角度γは等しくなる。
【００２６】
従って、散水機１４のノズル１６が第一の回動軸Ｐと平行である状態から、略１８０度散水機１４を回転させて散水すると、図７に示す如く、散水域は、幅狭で長い、略長方形状となる。なお、図７では平面視０度から１８０度の範囲で、Ｘ軸方向を平面視９０度方向として散水したときの散水域と散水距離とを示している。
【００２７】
よって、本発明に係る散水機１４を線路上の融雪等に使用する際には、散水域が略半円状である従来の散水機と比較して、設置ピッチＰ（図２）が長くなり、散水機１４の設置台数を少なくすることができ、効率の良い散水が可能となると共に、設置コストの削減に寄与している。また、本発明に係る散水機１４では、ブレーカやネット等に水滴を当接させて飛散速度を落として略長方形状に散水するときとは異なり、水滴が小さくならずに散水域の遠方においても、粒径の大きい水滴を到達させることができるので、融雪作業等の使用に対して非常に効果的となる
【００２８】
なお、散水機１４の対地ノズル角度γを１０〜３０度の範囲で決定した上で、回転軸ＱのＸ軸方向への対地角度θを±５〜±２０度に設定することが好ましく、対地ノズル角度γ及び対地角度θがこのような範囲の数値にあるとき、散水域を円形とは異なった形状とすることができる。
【００２９】
【発明の効果】
本発明は以上のように構成したので、次のような効果を奏する。
【００３０】
回動軸を構成する散水機（１４）の軸部（４１ａ）から側方に延出するノズル（１６）を有し、該軸部（４１ａ）を中心に回動しながらノズル（１６）より散水する構成の散水機（１４）において、散水機（１４）を付設する給水管（１０）の上外周部に平面を構成し、この平面に給水口（１０ａ）を開口し、該給水口（１０ａ）に偏心ソケット（１５）を嵌装し、該偏心ソケット（１５）は中途部から、給水管（１０）の方向を平面視で０度方向とすると、該給水管（１０）に対して９０度の方向へ傾斜しており、該偏心ソケット（１５）の垂直方向からの傾斜角度を対地角度（θ）とし、該傾斜した偏心ソケット（１５）に散水機（１４）の基部パイプ（４１ｄ）を螺入し、該基部パイプ（４１ｄ）に本体（４１）の下部の軸部（４１ａ）を回転自在に嵌合し、該散水機（１４）を、対地角度（θ）だけ傾斜した基部パイプ（４１ｄ）を中心に給水管（１０）の方向へ、平面視で略１８０度往復回動可能とし、該散水機（１４）が略１８０度往復回動する間に、前記ノズル（１６）の水平方向を０度とする対地ノズル角度（γ）を変化させ、該対地ノズル角度（γ）は、ノズル（１６）が給水管（１０）に対して平面視９０度方向で最小となり、ノズル（１６）が平面視０度方向又は１８０度方向では等しくなり、かつ最大となるので、散水機の対地ノズル角度は、散水機の回動角度によって変化し、従って、ノズルより吐出する液体の吐出角度を散水機の回動角度により変化させることができ、幅狭方向と長手方向に長い散水領域を作り出すことができ、矩形や楕円等の形状に合わせた散水領域を作ることができる。
【００３１】
また、散水機を平面視で略１８０度往復回動させ、且つ、該散水機の回動軸を９０度方向に向けて傾けて構成したので、散水機における散水域が片側矩形状の幅狭で長い略長方形の散水領域を作ることができる。
【図面の簡単な説明】
【図１】  本発明に係る散水機の設置状態を示す正面図。
【図２】  同じく平面図。
【図３】  本発明に係る散水機の側面一部断面図。
【図４】  同じく平面図。
【図５】  散水機の揺動切換機構を示す図。
【図６】  散水機による散水状態を示す図。
【図７】  散水機による散水域を示す図。
【符号の説明】
Ｑ  回動軸
θ  対地角度
γ  対地ノズル角度
１０  給水管
１４  散水機
１６  ノズル
【図１】
0003881874.tif 000002
【図２】
0003881874.tif 000003
【図３】
0003881874.tif 000004
【図４】
0003881874.tif 000005
【図５】
0003881874.tif 000006
【図６】
0003881874.tif 000007
【図７】
0003881874.tif 000008